【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
走行部（２）の後部に昇降機構（２０１）とヒッチ機構（２０２）とからなる着脱ヒッチ部（３）を支持し、この着脱ヒッチ部（３）から後方に延びる支持フレーム（２０３）を介して作業部（４）を支持した作業機において、
上記昇降機構（２０１）は上下のリンク（２０１ａ，２０１ｂ）によって昇降動作可能に構成し、かつ、上記支持フレーム（２０３）は作業部（４）を作業高さ位置に昇降した状態の上下のリンク（２０１ａ，２０１ｂ）のリンク方向の延長線上に構成したことを特徴とする作業機。
【請求項２】
前記支持フレーム（２０３）は、昇降機構（２０１）の前記リンク方向の延長線について、その上下のリンク（２０１ａ，２０１ｂ）のそれぞれと対応する上下のフレーム（２０３ａ，２０３ｂ）により構成したことを特徴とする請求項１記載の作業機。
【請求項３】
作業部（４）は、苗植付部であり、苗箱供給部（３０）と、該苗箱供給部（３０）から苗箱が供給され側面視略Ｕ字状に苗箱を搬送する苗箱搬送部（３１）と、苗箱搬送部（３１）で苗箱を搬送する苗箱送り装置（３２）と、苗箱搬送部（３１）の苗取出位置（Ｐ）で苗箱から苗を取り出す苗取出装置（３３）と、該苗取出装置（３３）で取り出された苗を搬送する苗搬送装置（３４）と、該苗搬送装置（３４）から苗を抜き出す苗抜き装置（３５）と、該苗抜き装置（３５）で抜き出した苗を横送りする苗横送り装置（３６）と、該苗横送り装置（３６）で供給される苗を取って圃場に植え付ける苗植付装置（３７）と、苗箱搬送部（３１）から搬出される空の苗箱を収容する空箱収容枠（３８）を備え、苗搬送装置（３４）は、苗の床土部を保持する苗ホルダー（８３）と、該苗ホルダー（８３）を円弧軌跡で移動させる揺動リンク（８５）を備え、苗ホルダー（８３）は、植付クラッチ又は畦クラッチを切ったときに洗浄ノズル（１１６）から噴水される噴水圏内で停止する構成とし、機体の側方に水タンク（１７）及びブロワ（２１２）を設け、水タンク（１７）を、タンク支軸（２１４ａ）回りに回動する第一の支持アーム（２１４）を介して支持フレーム（２１３）で支持し、ブロワ（２１２）を、ブロワ支軸（２１５ａ）回りに回動する第二の支持アーム（２１５）に設け、第一の支持アーム（２１４）を回動させて水タンク（１７）を内側に収納した後、第二の支持アーム（２１５）を回動させてブロワ（２１２）を水タンク（１７）の外側に収納する構成としたことを特徴とする請求項１又は請求項２記載の作業機。
【請求項４】
揺動リンク（８５）を規制するストッパ（２４６）を、磁気を帯びた部材で構成し、ストッパ（２４６）が当たる揺動リンク（８５）部分を、磁性材で構成したことを特徴とする請求項３記載の作業機。
【手続補正２】
【補正対象書類名】明細書
【補正対象項目名】０００６
【補正方法】変更
【補正の内容】
【０００６】
請求項２の発明は、請求項１の構成において、前記支持フレームは、昇降機構の前記リンク方向の延長線について、その上下のリンクのそれぞれと対応する上下のフレームにより構成したことを特徴とする。
請求項３の発明は、作業部（４）は、苗植付部であり、苗箱供給部（３０）と、該苗箱供給部（３０）から苗箱が供給され側面視略Ｕ字状に苗箱を搬送する苗箱搬送部（３１）と、苗箱搬送部（３１）で苗箱を搬送する苗箱送り装置（３２）と、苗箱搬送部（３１）の苗取出位置（Ｐ）で苗箱から苗を取り出す苗取出装置（３３）と、該苗取出装置（３３）で取り出された苗を搬送する苗搬送装置（３４）と、該苗搬送装置（３４）から苗を抜き出す苗抜き装置（３５）と、該苗抜き装置（３５）で抜き出した苗を横送りする苗横送り装置（３６）と、該苗横送り装置（３６）で供給される苗を取って圃場に植え付ける苗植付装置（３７）と、苗箱搬送部（３１）から搬出される空の苗箱を収容する空箱収容枠（３８）を備え、苗搬送装置（３４）は、苗の床土部を保持する苗ホルダー（８３）と、該苗ホルダー（８３）を円弧軌跡で移動させる揺動リンク（８５）を備え、苗ホルダー（８３）は、植付クラッチ又は畦クラッチを切ったときに洗浄ノズル（１１６）から噴水される噴水圏内で停止する構成とし、機体の側方に水タンク（１７）及びブロワ（２１２）を設け、水タンク（１７）を、タンク支軸（２１４ａ）回りに回動する第一の支持アーム（２１４）を介して支持フレーム（２１３）で支持し、ブロワ（２１２）を、ブロワ支軸（２１５ａ）回りに回動する第二の支持アーム（２１５）に設け、第一の支持アーム（２１４）を回動させて水タンク（１７）を内側に収納した後、第二の支持アーム（２１５）を回動させてブロワ（２１２）を水タンク（１７）の外側に収納する構成としたことを特徴とする請求項１又は請求項２記載の作業機とする。
請求項４の発明は、揺動リンク（８５）を規制するストッパ（２４６）を、磁気を帯びた部材で構成し、ストッパ（２４６）が当たる揺動リンク（８５）部分を、磁性材で構成したことを特徴とする請求項３記載の作業機とする。
【手続補正３】
【補正対象書類名】明細書
【補正対象項目名】０００７
【補正方法】変更
【補正の内容】
【０００７】
請求項１の作業機は、作業部を作業高さ位置に昇降した状態の昇降機構のリンク方向の延長線上に構成したことから、作業部の稼動時においては、昇降機構と支持フレームとで構成される作業部の支持梁としての着脱ヒッチ部の長さが最短となるので支持強度を向上することができる上に、支持フレームの長さに応じて作業部の昇降条件設定が可能となるので、昇降機構のリンク長さおよび昇降量によって規定される着脱ヒッチ部の走行部側の昇降特性が作業部側から独立されるので、作業部稼動時の昇降制御特性を容易に設定することが可能となる。
【手続補正４】
【補正対象書類名】明細書
【補正対象項目名】０００８
【補正方法】変更
【補正の内容】
【０００８】
請求項２の作業機は、請求項１の効果に加え、昇降機構の上下のリンクのそれぞれの延長線上に対応する上下のフレームにより構成したことから、昇降機構と支持フレームとで構成される作業部の支持梁を簡易な構成によって効率良く形成することができる。
請求項３の作業機は、請求項１又は請求項２の効果に加え、機体の側方に設けた水タンク（１７）及びブロワ（２１２）を収納できる。
請求項４の作業機は、請求項３の効果に加え、ストッパ（２４６）と前記揺動リンク（８５）部分の間に吸着力を得ることができ、バウンドしにくくなるので苗の受け取りが安定する。
【手続補正５】
【補正対象書類名】明細書
【補正対象項目名】００１２
【補正方法】変更
【補正の内容】
【００１２】
作業部４は、８条植えの構成で、昇降用油圧シリンダ２６によって昇降用油圧（電磁）バルブ２７を介して上下に昇降する構成であり、隣接する２条づつで共用の後下がりに傾斜した上下２段の苗箱供給部３０，３０…が左右並列に４組設けられ、これら各組の苗箱供給部の後端部に苗箱主搬送部３１，３１…が接続されて苗箱搬送路が構成されている。各苗箱主搬送部３１は、上下２段の苗箱供給部３０，３０から順に１個づつ供給される苗箱を前半は下向きに搬送し、途中で搬送方向を徐々に変え、後半は上向きに搬送する側面視略Ｕ字状に形成されている。苗箱搬送部３１の終端部に接続して、後記苗取出位置Ｐで苗を取り出された後の空の苗箱を複数個上下に重ねた状態で収容することのできる空箱収容枠３８が設けられている。空箱ガイドレール３９ａと３９ｂとの繋ぎ目に対応する部位には、空箱を上側から案内するガイド体４０が設けられ、苗箱の周回移動が円滑に行われるようにしている。ところで、苗が取出された後の空の苗箱は、空箱ガイドレール３９がＵ字状に上方に屈曲するよう設けているので、再び上方に搬送されていき、その上端部から排出される空の苗箱は、空箱収容枠３８内に収容されることになる。
【手続補正６】
【補正対象書類名】明細書
【補正対象項目名】００４４
【補正方法】変更
【補正の内容】
【００４４】
洗浄（噴霧）装置に用いられるフィルター１６０は、上下２重の濾過網１６１と１６２とからなり、下側の濾過網１６１は固定とし、上側の濾過網１６２は羽根車１６３の下端に取り付けられて軸芯１６４回りに自由回転自在に軸架され、水の入る勢いで旋回するようになっている。２重濾過網によるフィルターであっても、フィルターにゴミが詰まってしまい、使用の途中で水の流れが悪くなる。本例のように、上記構成によると、フィルターの目詰りが、入ってくる水の勢いで回転する上側濾過網の回転と、これに伴う水の旋回流とによって防止できる。